(57)【要約】【課題】支柱と梁または桁の連結部分において連結具が露出せず、かつ強度も充分に確保することのできる屋外構造体を提供する。【解決手段】支柱２は断面中空状であって梁４よりも幅広に形成され、少なくとも１本の支柱２は梁４の下部と面当接する当接上面部２ａが形成され、梁４の下面には互いに対向する２つの下壁面部２７ａを有した溝部２７が形成され、溝部２７を構成する下壁面部２７ａは所定位置に支柱２の上端部を収納可能な切欠部２８を有し、切欠部２８に当接上面部２ａを有する支柱２の上端部が嵌合固定される。【選択図】図８
2010196328.tif 000002
【特許請求の範囲】
【請求項１】
複数の支柱が立設され該支柱の上部に梁が取付けられたフレーム体に屋根体を取付けてなる屋外構造体において、
前記支柱は断面中空状であって前記梁よりも幅広に形成され、少なくとも１本の支柱は前記梁の下部と面当接する当接上面部が形成され、前記梁の下面には互いに対向する２つの下壁面部を有した溝部が形成され、該溝部を構成する前記下壁面部は所定位置に前記支柱の上端部を収納可能な切欠部を有し、該切欠部に前記当接上面部を有する支柱の上端部が嵌合固定されることを特徴とする屋外構造体。
【請求項２】
複数の支柱が立設され該支柱の上部に屋根体が取付けられた屋外構造体において、
前記屋根体は前記支柱の上端部に固定される桁を有し、前記支柱は断面中空状であって前記桁よりも幅広に形成され、少なくとも１本の支柱は前記桁の下部と面当接する当接上面部が形成され、前記桁の下面には互いに対向する２つの下壁面部を有した溝部が形成され、該溝部を構成する前記下壁面部は所定位置に前記支柱の上端部を収納可能な切欠部を有し、該切欠部に前記当接上面部を有する支柱の上端部が嵌合固定されることを特徴とする屋外構造体。
【請求項３】
前記梁または桁には前記溝部のうち切欠部が形成された位置に支柱取付部品を設け、該支柱取付部品は前記梁または桁の下面に当接して固定される固定面を有すると共に、該固定面から下方に伸びる支柱挿入部を有し、
前記梁または桁に固定された支柱取付部品は、前記支柱挿入部が前記支柱の上端面から中空内部に挿入されると共に前記溝部を構成する下壁面部の下端よりも上部で支柱に固定され、
前記溝部の開口端には前記支柱が配置される領域以外の領域にカバー体が設けられることを特徴とする請求項１または２記載の屋外構造体。
【請求項４】
前記支柱の上端面には前記梁または桁の下面との間に支柱キャップが設けられて前記支柱の中空内部が覆われることを特徴とする請求項３記載の屋外構造体。
【発明の詳細な説明】
【技術分野】
【０００１】
本発明は、複数の支柱が立設され該支柱の上部に梁が取付けられたフレーム体に屋根体を取付けた屋外構造体に関し、特に支柱を梁の任意の位置に取付可能な屋外構造体に関する。
【背景技術】
【０００２】
従来、カーポートやテラス、パーゴラ等の屋外構造体の構造として、複数の支柱を地面に立設し、支柱の上部に梁が取付けられてなるフレーム体に対し、屋根体を取付けてなるものが知られている。また、支柱の上部に桁を有する屋根体を直接取付けてなる構造も知られている。
【０００３】
これらの屋外構造体においては、支柱と梁または桁を連結することが必要である。従来の屋外構造体では、支柱の上端面に受け金具を設け、この受け金具を介して梁または桁の下面を支持固定するものが知られている。このような屋外構造体としては、例えば特許文献１に挙げるようなものがある。
【先行技術文献】
【特許文献】
【０００４】
【特許文献１】特開２００８−３８４６７号公報
【発明の概要】
【発明が解決しようとする課題】
【０００５】
様々な敷地に屋外構造体を設置するため、支柱は梁または桁の任意の位置に固定できるようにすることが望まれている。この場合において従来の屋外構造体では、受け金具を介して両者を連結していることで、固定するボルト等の連結具が露出しており、意匠性を損なうこととなっていた。また、充分な強度の確保が難しいという問題があった。
【０００６】
本発明は前記課題を鑑みてなされたものであり、支柱と梁または桁の連結部分において連結具が露出せず、かつ強度も充分に確保することのできる屋外構造体を提供することを目的とする。
【課題を解決するための手段】
【０００７】
前記課題を解決するため、本発明に係る屋外構造体は、複数の支柱が立設され該支柱の上部に梁が取付けられたフレーム体に屋根体を取付けてなる屋外構造体において、
前記支柱は断面中空状であって前記梁よりも幅広に形成され、少なくとも１本の支柱は前記梁の下部と面当接する当接上面部が形成され、前記梁の下面には互いに対向する２つの下壁面部を有した溝部が形成され、該溝部を構成する前記下壁面部は所定位置に前記支柱の上端部を収納可能な切欠部を有し、該切欠部に前記当接上面部を有する支柱の上端部が嵌合固定されることを特徴として構成されている。
【０００８】
また、本発明に係る屋外構造体は、複数の支柱が立設され該支柱の上部に屋根体が取付けられた屋外構造体において、
前記屋根体は前記支柱の上端部に固定される桁を有し、前記支柱は断面中空状であって前記桁よりも幅広に形成され、少なくとも１本の支柱は前記桁の下部と面当接する当接上面部が形成され、前記桁の下面には互いに対向する２つの下壁面部を有した溝部が形成され、該溝部を構成する前記下壁面部は所定位置に前記支柱の上端部を収納可能な切欠部を有し、該切欠部に前記当接上面部を有する支柱の上端部が嵌合固定されることを特徴として構成されている。
【０００９】
さらに、本発明に係る屋外構造体は、前記梁または桁には前記溝部のうち切欠部が形成された位置に支柱取付部品を設け、該支柱取付部品は前記梁または桁の下面に当接して固定される固定面を有すると共に、該固定面から下方に伸びる支柱挿入部を有し、
前記梁または桁に固定された支柱取付部品は、前記支柱挿入部が前記支柱の上端面から中空内部に挿入されると共に前記溝部を構成する下壁面部の下端よりも上部で支柱に固定され、
前記溝部の開口端には前記支柱が配置される領域以外の領域にカバー体が設けられることを特徴として構成されている。
【００１０】
さらにまた、本発明に係る屋外構造体は、前記支柱の上端面には前記梁または桁の下面との間に支柱キャップが設けられて前記支柱の中空内部が覆われることを特徴として構成されている。
【発明の効果】
【００１１】
本発明に係る屋外構造体によれば、支柱は断面中空状であって梁よりも幅広に形成され、少なくとも１本の支柱は梁または桁の下部と面当接する当接上面部が形成され、梁または桁の下面には互いに対向する２つの下壁面部を有した溝部が形成され、溝部を構成する下壁面部は所定位置に支柱の上端部を収納可能な切欠部を有し、切欠部に当接上面部を有する支柱の上端部が嵌合固定されることにより、梁または桁に切欠部を形成することで長手方向任意の位置に支柱を取付けても連結部材を露出させないようにすることができ、また支柱は梁より幅広であると共に支柱の上端部は梁または桁の切欠部に嵌合固定されるので、支柱の取付位置が一意に定まって取付作業を用意にすることができ、さらには強度も充分に確保することができる。
【００１２】
また、本発明に係る屋外構造体によれば、梁または桁には溝部のうち切欠部が形成された位置に支柱取付部品を設け、支柱取付部品は梁または桁の下面に当接して固定される固定面を有すると共に、固定面から下方に伸びる支柱挿入部を有し、梁または桁に固定された支柱取付部品は、支柱挿入部が支柱の上端面から中空内部に挿入されると共に溝部を構成する下壁面部の下端よりも上部で支柱に固定され、溝部の開口端には支柱が配置される領域以外の領域にカバー体が設けられることにより、支柱と梁または桁を連結する支柱取付部品が外部に露出せず、また支柱取付部品と支柱、あるいは梁または桁とを連結するボルト等の連結具が下壁面部及びカバー体により隠されて外部に露出しないようにすることができる。
【００１３】
さらに、本発明に係る屋外構造体によれば、支柱の上端面には梁または桁の下面との間に支柱キャップが設けられて支柱の中空内部が覆われることにより、支柱の中空内部に雨水やゴミなどが侵入することを防止することができる。
【図面の簡単な説明】
【００１４】
【図１】第１の実施形態における屋外構造体の平面図である。
【図２】図１のＡ−Ａ断面図である。
【図３】図１のＢ−Ｂ断面図である。
【図４】図２の部分拡大図である。
【図５】支柱と奥行方向梁との連結部分の側面図である。
【図６】支柱と梁との連結部分の拡大側面図である。
【図７】図６のＡ−Ａ断面図である。
【図８】図６の分解図である。
【図９】図７の分解図である。
【図１０】別の形態のフレーム体の平面図である。
【図１１】奥行方向梁と中間梁との連結部分の断面図である。
【発明を実施するための形態】
【００１５】
本発明の実施形態について、図面に沿って詳細に説明する。本実施形態では、屋外構造体の一つとしてカーポートについて説明する。図１には本実施形態における屋外構造体の平面図を示している。本実施形態における屋外構造体は、四隅のうち三隅に設けられた支柱２間に間口方向梁３及び奥行方向梁４を渡してなるフレーム体１に、屋根体５を取付固定してなるものである。また、支柱２の設けられない一隅から中間位置寄りにも支柱２が設けられている。
【００１６】
支柱２は、いずれも断面中空状での角材からなり、地面に対して垂直方向に立設される。間口方向梁３と奥行方向梁４は、それぞれ支柱２の上端部分に連結固定され、フレーム体１は平面視において方形状をなすように構成される。
【００１７】
屋根体５は、フレーム体１を構成する間口方向梁３及び奥行方向梁４の内側面に沿う平面視方形状をなすように形成されている。屋根体５の周縁部には、奥行方向梁４に沿って雨樋１０が設けられ、雨樋１０間を渡すと共に間口方向梁３に沿って端部垂木１３が設けられている。また、両端の端部垂木１３と平行な複数本の垂木１１及び中間垂木１２が、雨樋１０間を渡すように設けられる。そして、垂木１１、中間垂木１２、端部垂木１３と両側の雨樋１０に囲まれた間口方向に長い各領域には、パネル体１４が設けられる。
【００１８】
図２には図１のＡ−Ａ断面図を、図３には図１のＢ−Ｂ断面図を、それぞれ示している。これら各図に示すように、屋根体５は間口方向に沿って上方に凸状となるように湾曲している。また、屋根体５は、上端から下端に渡って間口方向梁３及び奥行方向梁４の幅内に収まるように湾曲している。これにより、屋根体５はフレーム体１の外側に直接露出しないようにされている。
【００１９】
図４には図２の部分拡大図を示している。この図では、奥行方向梁４と屋根体５との連結部分付近の拡大図を表している。図４に示すように、四隅のうち三隅に設けられる支柱２と奥行方向梁４の連結は、支柱２の側面に固着される連結金具２０によってなされる。連結金具２０は、支柱２に対して固着される支柱固定面２０ａと、奥行方向梁４の内周面に当接して固着される梁固定面２０ｂとを有し、それぞれボルト止めによって固着される。
【００２０】
図５には、支柱２と奥行方向梁４との連結部分の側面図を示している。この図に示すように、支柱２の内周面には連結金具２０を取付ける際の裏板となる取付板２２が設けられている。また、連結金具２０は、支柱２の側面に当接固定される支柱固定面２０ａと奥行方向梁４に当接固定される梁固定面２０ｂとが、略Ｌ字状をなすように形成され、また支柱固定面２０ａの下端からは、奥行方向梁４の下面に当接して固定される当接固定部２０ｃが伸びている。
【００２１】
次に、奥行方向梁４の中間位置に設けられる支柱２と奥行方向梁４との連結構造について説明する。図６には支柱２と梁４との連結部分の拡大側面図を、図７には図６のＡ−Ａ断面図を、それぞれ示している。図６においては、支柱２や奥行方向梁４の内部に配置された部材も、実線で示している。
【００２２】
図６及び図７に示すように、梁４の中間位置に設けられる支柱２は、上面が支柱取付部品２３を介して梁４の下端部に固定される当接上面部２ａとなっている。また、図７に示すように支柱２は、梁４よりも幅広に形成されている。梁４は、下端部に凹状の溝部２７を有しており、この溝部２７を構成する左右の下壁面部２７ａ、２７ａが、図６に示すように支柱２を設ける位置において切り欠かれて、切欠部２８が形成されている。支柱２は上端部が切欠部２８内に納められて嵌合し、当接上面部２ａが支柱取付部品２３を介して梁４の下面２７ｂに当接固定される。なお、梁４の下壁面部２７ａは、板状に形成されているため、容易に切欠形成することができる。
【００２３】
図８には図６の分解図を、図９には図７の分解図を、それぞれ示している。図８に示すように、梁４の溝部２７は、支柱２が取付けられる位置が凹状に切り欠かれて切欠部２８を構成している。また、梁４の内周面には、支柱２が取付けられる位置に裏板となる取付板２４が設けられる。
【００２４】
支柱取付部品２３は、梁４の下面２７ｂに当接し固定される梁固定面部２３ａと、支柱２の中空内部に挿入され、内側面に当接し固定される支柱挿入部２３ｂとで、側面視略コ字状となるように形成されている。梁固定面部２３ａは、支柱２の当接上面部２ａを略覆う形状に形成されており、ボルト２１によって梁４及び取付板２４に対して固着される。
【００２５】
支柱挿入部２３ｂは、互いに対向する支柱２の内側面にそれぞれ内周側から当接し、支柱２の外側面側からボルト２１により固定される。このボルト２１による固定位置は、図６や図７に示すように梁４の溝部２７の下端位置よりも上方であり、溝部２７を構成する下壁面部２７ａによって外側に直接露出しないようにされている。
【００２６】
さらに、支柱２の上端部のボルト２１が下方にも露出しないように、溝部２７の開口端にはカバー体２６が長手方向に沿って設けられる。カバー体２６は、溝部２７において支柱２が配置される部分には、支柱２と干渉するため設けられない。このように、梁４の下端に溝部２７が形成され、支柱２と支柱取付部品２３を固定するボルト２１を溝部２７内に配置すると共に、溝部２７をカバー体２６で覆うようにしたので、ボルト２１を外部に露出させることがなく、意匠性を良好にすることができる。なお、支柱取付部品２３と梁４とを連結させるボルト２１は、支柱２の中空内部に隠れた状態となるため、そもそも露出することがない。
【００２７】
支柱取付部品２３の梁固定面部２３ａと梁４の間には、支柱２の当接上面部２ａを塞ぐ支柱キャップ２５が設けられる。支柱キャップ２５は、図８に示すように支柱２の当接上面部２ａの全面を覆うように形成されている。これにより、支柱２の中空内部に雨水やゴミなどが侵入することを防止することができる。なお、支柱キャップ２５は少なくとも支柱２のうち梁４で覆われない領域を覆うように形成されていればよい。
【００２８】
支柱２を梁４に固定する際には、まず当接上面部２ａが梁４の下面２７ｂに当接する長さとなるように支柱２を切断する。また、梁４の支柱２を取付ける位置に切欠部２８を形成する。次に、梁４の下面２７ｂに支柱取付部品２３をボルト２１により固定する。この際に、支柱キャップ２５も取付けておく。続いて、支柱２の上端部を梁４の切欠部２８に納めて嵌合する。これに伴い、梁４に取付けられている支柱取付部品２３の支柱挿入部２３ｂが支柱２の中空内部に挿入される。そして、支柱２と支柱挿入部２３ｂとをボルト２１により固定し、梁４の溝部２７にはカバー体２６を取付ける。
【００２９】
本実施形態の支柱２と梁４の取付構造においては、支柱２が梁４よりも幅広であるため、梁４は下面２７ｂが支柱２の当接上面部２ａに載置された状態となり、一方で支柱２は上端部が梁４の溝部２７に形成された切欠部２８に納まり嵌合して、梁４の長手方向に対する取付位置が一意に定まることとなる。したがって、支柱２と梁４の連結強度が大きく、かつ連結作業も容易に行うことができる。また、支柱２と梁４の連結に用いる支柱取付部品２３及びボルト２１が外部に露出しないので、意匠性を良好にすることができる。
【００３０】
また、梁４における切欠部２８の形成位置により、梁４の長手方向任意の位置に支柱２を取付けることができる。このため、敷地によって支柱２の立設位置に制限がある場合であっても、屋外構造体を設置することができる。
【００３１】
また、フレーム体１の構成として別の形態を採ることもできる。図１０には、別の形態のフレーム体１の平面図を示している。この図に示すように、本形態のフレーム体１は、第１形態のフレーム体１に対し、奥行方向梁４の中間位置において、奥行方向梁４間を渡すように中間梁６が設けられている。中間梁６は、奥行方向梁４と同じ断面形状を有して構成されている。その他の構成は、第１の形態と同様である。
【００３２】
図１１には、奥行方向梁４と中間梁６との連結部分の断面図を示している。この図に示すように、奥行方向梁４と中間梁６との連結構造は、支柱２と奥行方向梁４との連結構造と概ね同様である。すなわち、奥行方向梁４の側面に連結金具２０を固定し、連結金具２０を中間梁６の中空内部に挿入すると共に、連結金具２０と中間梁６を連結固定する。
【００３３】
連結金具２０は、支柱２と奥行方向梁４の連結に用いられるものと同形状であり、部品を兼用している。すなわち、連結金具２０は支柱固定面２０ａと梁固定面２０ｂ及び当接固定部２０ｃを備え、支柱固定面２０ａは奥行方向梁４の側面に当接すると共にボルト２１で固定され、梁固定面２０ｂは中間梁６の内周面に当接してボルト２１で固定される。また、当接固定部２０ｃは中間梁６の下面に当接しネジ止め固定される。
【００３４】
本形態のフレーム体１では、四隅以外の位置に設けられる支柱２は、第１の形態と同様に奥行方向梁４に固定されているが、中間梁６にも取付けることができる。中間梁６は奥行方向梁４と同じ断面形状を有してなるため、中間梁６と支柱２は、第１の形態で説明したものと同じ構造で固定することができる。また、同様に間口方向梁３に対しても、長手方向任意の位置に支柱２を取付けることができる。
【００３５】
ここまでの実施形態では、支柱２と梁３、４からなるフレーム体１に屋根体５を取付けてなる屋外構造体について説明したが、支柱２に屋根体５が直接取付けられる構成であってもよい。この場合には、屋根体５が梁３、４と同様の構成からなる桁を有し、この桁に対して支柱２が連結金具２０や支柱取付部品２３を介して固定される。その取付構造は、これまで説明した実施形態と同様である。
【００３６】
以上、本発明の実施形態について説明したが、本発明の適用は本実施形態には限られず、その技術的思想の範囲内において様々に適用されうるものである。本実施形態では、屋外構造体としてカーポートについて説明したが、テラスやパーゴラなど他の用途に用いられるものであっても、本発明を適用することができる。また、これまで説明したように、支柱２の位置は梁の中間位置であっても敷地の条件等に合わせて任意に設定することができる。
【符号の説明】
【００３７】
１    フレーム体
２    支柱
２ａ  当接上面部
３    間口方向梁
３ａ  内側面
４    奥行方向梁
４ａ  内側面
５    屋根体
６    中間梁
１０    雨樋
１１    垂木
１２    中間垂木
１３    端部垂木
１４    パネル体
２０    連結金具
２０ａ  支柱固定面
２０ｂ  梁固定面
２０ｃ  当接固定部
２１    ボルト
２２    取付板
２３    支柱取付部品
２３ａ  梁固定面部
２３ｂ  支柱挿入部
２４    取付板
２５    支柱キャップ
２６    カバー体
２７    溝部
２７ａ  下壁面部
２７ｂ  下面
２８    切欠部
【図１】
2010196328.tif 000003
【図２】
2010196328.tif 000004
【図３】
2010196328.tif 000005
【図４】
2010196328.tif 000006
【図５】
2010196328.tif 000007
【図６】
2010196328.tif 000008
【図７】
2010196328.tif 000009
【図８】
2010196328.tif 000010
【図９】
2010196328.tif 000011
【図１０】
2010196328.tif 000012
【図１１】
2010196328.tif 000013